(57)【特許請求の範囲】
【請求項１】
原稿を搬送する搬送ローラと、
前記搬送ローラと対向して設けられ、前記原稿を前記搬送ローラと挟み圧接するピンチローラと、
搬送された前記原稿を支持する原稿台と、
前記原稿台に対向して設けられ前記原稿を読取る読取センサと、
前記読取センサに対向配置する白基準板と、
前記白基準板を前記原稿台に対して上下動可能に支持する支持部と、
前記ピンチローラを支持すると共に前記支持部が接続される蓋部と、
前記搬送ローラを支持すると共に前記蓋部を開閉可能に支持し、さらに前記原稿台と前記読取センサが収容される台部と、を有し、
前記搬送ローラは前記原稿の搬送方向に対して直交する方向に沿って平行に配置された複数のローラを具備し、
前記原稿台は平行に配置された前記搬送ローラ間に配置され、
前記読取センサは複数のラインセンサを具備し、前記ラインセンサは前記搬送方向に複数列配置されると共に前記ラインセンサの読取範囲の一部が他の前記ラインセンサ読取範囲の一部と重なる位置に配置され、
前記白基準板は前記ラインセンサ毎に配置され、
前記支持部は前記白基準板毎に設けられ、
前記支持部には前記白基準板の前記搬送方向の両側に前記原稿を前記原稿台に付勢する押圧ローラが具備され、
前記原稿を読取る場合は前記押圧ローラによって前記原稿台に前記原稿を付勢しながら前記原稿を読取り、前記白基準板を読取る場合は前記押圧ローラを前記原稿台に当接させながら読取る原稿読取装置において、
前記押圧ローラは第１押圧ローラ列と第２押圧ローラ列を含み、
前記支持部は前記第１押圧ローラ列を軸支する円状の貫通孔と、前記第２押圧ローラ列を軸支する四角形の角の部分を弧状に形成した略四角形状の貫通孔を有し、
前記支持部が前記第１押圧ローラ列と前記第２押圧ローラ列とが異なる方向に移動可能に軸支することを特徴とする原稿読取装置。
【請求項２】
前記第１押圧ローラ列は前記搬送方向に対して交差する方向に移動可能な複数のローラを有し、前記第２押圧ローラ列は前記搬送方向に対して交差する方向に移動可能な複数のローラを有することを特徴とする請求項１に記載の原稿読取装置。
【請求項３】
前記白基準板は複数の凸部を有し、前記第１押圧ローラ列は複数のローラを備え、該ローラ間の隙間に前記凸部を屈設させて遮光し、前記第２押圧ローラ列は複数のローラを備え、該ローラ間の隙間に前記凸部を屈設させて遮光することを特長とする請求項１に記載の原稿読取装置。
【請求項４】
前記第１押圧ローラ列の複数の前記ローラ夫々は独立して回動し、前記第２押圧ローラ列の複数の前記ローラ夫々は独立して回動することを特徴とする請求項２または請求項３に記載の原稿読取装置。
【請求項５】
前記原稿台の前記原稿の搬送面と前記搬送ローラの頂点部とが同じ高さに形成され、前記搬送ローラの周辺部が前記原稿台の前記原稿の搬送面に対して低く形成されていることを特徴とする請求項１に記載の原稿読取装置。
【請求項６】
前記原稿読取装置は、さらに、前記台部または前記蓋部に前記原稿の位置を検出する原稿位置検出センサと、基準値を入力して前記読取センサのシェーディング補正をするシェーディング補正手段と、前記原稿台に前記白基準板とは異なる別の白基準板を載置した状態で前記別の白基準板を第１の白基準値として読取り、前記別の白基準板が無い状態で前記白基準板を第２の白基準値として読取り、前記第１の白基準値と前記第２の白基準値の差を演算する手段と、該差を記憶する記憶手段と、を有し、前記原稿位置検出センサの出力に基づいて前記原稿台上に前記原稿が無いことを検出し、前記原稿の読取りに先立って前記白基準板を第３の白基準値として読取り、前記第３の白基準値に前記差を加えた値を前記シェーディング補正手段に前記基準値として入力し、シェーディング補正することを特徴とする請求項１に記載の原稿読取装置。
【請求項７】
原稿を搬送する搬送ローラと、前記搬送ローラと対向して設けられ、前記原稿を前記搬送ローラと挟み圧接するピンチローラと、搬送された前記原稿を支持する原稿台と、前記原稿台に対向して設けられ前記原稿を読取る読取センサと、前記読取センサに対向配置する白基準板と、前記白基準板を前記原稿台に対して上下動可能に支持する支持部と、前記ピンチローラを支持すると共に前記支持部が接続される蓋部と、前記搬送ローラを支持すると共に前記蓋部を開閉可能に支持し、さらに前記原稿台と前記読取センサが収容される台部と、を有する原稿読取装置において、前記搬送ローラは前記原稿の搬送方向に対して直交する方向に沿って平行に配置された複数のローラを具備し、前記原稿台は平行に配置された前記搬送ローラ間に配置され、前記読取センサは複数のラインセンサを具備し、前記ラインセンサは前記搬送方向に複数列配置されると共に前記ラインセンサの読取範囲の一部が他の前記ラインセンサ読取範囲の一部と重なる位置に配置され、前記白基準板は前記ラインセンサ毎に配置され、前記支持部は前記白基準板毎に設けられ、前記支持部には前記白基準板の前記搬送方向の両側に前記原稿を前記原稿台に付勢する押圧ローラが具備され、前記原稿を読取る場合は前記押圧ローラによって前記原稿台に前記原稿を付勢しながら前記原稿を読取り、前記白基準板を読取る場合は前記押圧ローラを前記原稿台に当接させながら読取る原稿読取装置の原稿読取方法であって、
前記原稿読取装置は、さらに前記台部または前記蓋部に前記原稿の位置を検出する原稿位置検出センサと記憶手段とシェーディング補正手段とを有し、
前記原稿台に前記白基準板とは異なる別の白基準板を載置した状態で前記別の白基準板を第１の白基準値として読取り、前記別の白基準板が無い状態で前記白基準板を第２の白基準値として読取り、前記第１の白基準値と前記第２の白基準値の差を演算し前記記憶手段に記憶する工程と、
前記原稿位置検出センサの出力に基づいて前記原稿台上に前記原稿の有無を検出する工程と、
前記原稿台に前記原稿が無い場合に前記白基準板を第３の白基準値として読取り、前記第３の白基準値に前記差を加えた値を白基準値としてシェーディング補正する工程と、を有することを特徴とする原稿読取方法。
【発明の詳細な説明】
【技術分野】
【０００１】
本発明は、画像読取装置及び画像読取方法に関する。
【背景技術】
【０００２】
従来の画像読取装置では、原稿の搬送方向に直交する方向にライン状の読取センサが配置され、搬送される原稿を列ごとに走査しながら読取っている。
【０００３】
しかし、読取センサは個々に感度のばらつきがあり、そのまま使用すると読込んだ画像データがそのばらつきに影響を受け、画像が正確に再現できない問題があった。この問題を解決する為に、シェーディング補正によって読取センサの個々の感度ばらつきを補正している。
【０００４】
シェーディング補正する時に白色の基準として白基準板を用いる。この白基準板は、読取センサに対向する位置に配置されているものがある。白基準板と原稿第との間に隙間があり、その隙間を原稿が通過する。この種の装置では読取センサの位置で原稿を原稿台に押えることができないので、原稿にしわなどがあると原稿と原稿台との間に隙間ができてしまい、読取精度が低下する問題があった。
【０００５】
また、白基準板の代わりに白いローラを用いるものがある。これは、読取センサに対向する位置に白いローラを配置し、この白いローラを白基準板の代わりに用いると共に、原稿を原稿台方向に付勢することで原稿を原稿台に接触させる構成である。これによると、原稿が読取位置で原稿台に押されて接するので、読取精度が向上する。しかし、白いローラは原稿と接するので、汚れが付着したり、傷が付く場合がある。そのため、この白いローラの白色が変化し、白基準が変化してしまう問題があった。
【０００６】
これらの問題に対して、特開平１０−９８５８０号公報に記載の従来技術では、読取センサに対向する位置に、上下可動するように支持された白基準板を設けた技術が開示されている。この従来技術は、さらに白基準板と原稿台の距離が一定となる第１突起があり、白基準板と原稿台の間隔を一定にしている。さらに原稿のばたつきを防止する為に第１突起より低い第２突起を搬送ローラ対の間に読取部を遮らないように備え、送られてくる原稿を押える構成となっている。
【先行技術文献】
【特許文献】
【０００７】
【特許文献１】特開平１０−９８５８０号公報
【発明の概要】
【発明が解決しようとする課題】
【０００８】
しかしながら従来技術では、突起は原稿に対して上下にしか動作せず、また、突起と原稿との間の摩擦抵抗も大きいと考えられる。摩擦抵抗を小さくするために接触面積を小さくすれば、先端が鋭利となり、原稿を傷つけてしまう。また、原稿の皺部分に突起が嵌ってしまう場合があり、このとき突起と原稿との間の摩擦が大きくなり、原稿の搬送が一旦停止したり、原稿が皺部分にそって蛇行するような搬送異常を生じる場合がある。
【０００９】
また、従来技術は原稿が読取センサによって読取られた後に突起部分が原稿を押える構造である。この構造では、読取センサによる読取位置では、原稿が読取ガラスに押さえつけられていないので、原稿が浮いてしまう場合がある。原稿が浮くと読取精度が低下する問題が生じる。特に、搬送ローラ間の距離が長い場合に、例えば読取センサユニットが原稿の搬送方向に複数列配置されている場合などは搬送ローラ間の距離が長くなり、原稿の浮きの問題が顕著になる。
【００１０】
この問題について更に述べると、搬送ローラは原稿を挟み搬送するため、原稿を支持する板より搬送ローラ部分を突出させて設ける必要がある。この原稿を支持する板の原稿支持面に対して、それより低い位置に搬送ローラを設けた場合に、原稿と搬送ローラの間に十分な保持力が得られないからである。
【００１１】
原稿の搬送面に対して搬送ローラの外周が突出している場合は、搬送ローラの前あるいは後から読取位置までの原稿の搬送路が平面状に形成されないので、浮きの問題が発生しやすくなる。また、原稿の読取部分の搬送面に対して、その前後の原稿が支持される面を低くし、搬送ローラの外周が露出すなわち搬送面より突出することで、搬送ローラの頂点と原稿の読取部分の搬送面とが実質的に平面状にしながら搬送ローラの外周を突出させることができる。しかし設計上は可能であっても、実機では部品の精度や組立精度のばらつきがあり、平面状に構成することは困難である。また、読取位置での原稿搬送面に対して、搬送ローラの外周は凹んで配置されていることになる。このような場合は、搬送ローラの前あるいは後から読取位置までの原稿の搬送路は平面状に形成されないので、従来技術では読取位置での浮きの問題が発生する問題がある。
【課題を解決するための手段】
【００１２】
このような課題に対して、本願発明は、原稿読取時には白基準板を汚さずに原稿の読取位置で原稿を原稿台に当接させて読込み、シェーディング補正の白基準読取時には白基準板を読取る画像読取装置および画像読取方法を提供する。
【００１３】
本願発明の原稿読取装置は、原稿を搬送する搬送ローラと、前記搬送ローラと対向して設けられ、前記原稿を前記搬送ローラと挟み圧接するピンチローラと、搬送された前記原稿を支持する原稿台と、前記原稿台に対向して設けられ前記原稿を読取る読取センサと、前記読取センサに対向配置する白基準板と、前記白基準板を前記原稿台に対して上下動可能に支持する支持部と、前記ピンチローラを支持すると共に前記支持部が接続される蓋部と、前記搬送ローラを支持すると共に前記蓋部を開閉可能に支持し、さらに前記原稿台と前記読取センサが収容される台部と、を有し、前記搬送ローラは前記原稿の搬送方向に対して直交する方向に沿って平行に配置された複数のローラを具備し、前記原稿台は平行に配置された前記搬送ローラ間に配置され、前記読取センサは複数のラインセンサを具備し、前記ラインセンサは前記搬送方向に複数列配置されると共に前記ラインセンサの読取範囲の一部が他の前記ラインセンサ読取範囲の一部と重なる位置に配置され、前記白基準板は前記ラインセンサ毎に配置され、前記支持部は前記白基準板毎に設けられ、前記支持部には前記白基準板の前記搬送方向の両側に前記原稿を前記原稿台に付勢する押圧ローラが具備され、前記原稿を読取る場合は前記押圧ローラによって前記原稿台に前記原稿を付勢しながら前記原稿を読取り、前記白基準板を読取る場合は前記押圧ローラを前記原稿台に当接させながら読取る原稿読取装置において、前記押圧ローラは第１押圧ローラ列と第２押圧ローラ列を含み、前記支持部は前記第１押圧ローラ列を軸支する円状の貫通孔と、前記第２押圧ローラ列を軸支する四角形の角の部分を弧状に形成した略四角形状の貫通孔を有し、前記支持部が前記第１押圧ローラ列と前記第２押圧ローラ列とが異なる方向に移動可能に軸支することを特徴とする。
【００１４】
原稿読取りのときには原稿台に原稿を押さえつけながら搬送させるので原稿の浮きがなく読取ることができる。シェーディング補正のときには白基準板と読取センサとの距離が一定となるので、白基準読取ごとのばらつきを防止できる。
【００１５】
また、本発明の原稿読取方法は、原稿を搬送する搬送ローラと、前記搬送ローラと対向して設けられ、前記原稿を前記搬送ローラと挟み圧接するピンチローラと、搬送された前記原稿を支持する原稿台と、前記原稿台に対向して設けられ前記原稿を読取る読取センサと、前記読取センサに対向配置する白基準板と、前記白基準板を前記原稿台に対して上下動可能に支持する支持部と、前記ピンチローラを支持すると共に前記支持部が接続される蓋部と、前記搬送ローラを支持すると共に前記蓋部を開閉可能に支持し、さらに前記原稿台と前記読取センサが収容される台部と、を有する原稿読取装置において、前記搬送ローラは前記原稿の搬送方向に対して直交する方向に沿って平行に配置された複数のローラを具備し、前記原稿台は平行に配置された前記搬送ローラ間に配置され、前記読取センサは複数のラインセンサを具備し、前記ラインセンサは前記搬送方向に複数列配置されると共に前記ラインセンサの読取範囲の一部が他の前記ラインセンサ読取範囲の一部と重なる位置に配置され、前記白基準板は前記ラインセンサ毎に配置され、前記支持部は前記白基準板毎に設けられ、前記支持部には前記白基準板の前記搬送方向の両側に前記原稿を前記原稿台に付勢する押圧ローラが具備され、前記原稿を読取る場合は前記押圧ローラによって前記原稿台に前記原稿を付勢しながら前記原稿を読取り、前記白基準板を読取る場合は前記押圧ローラを前記原稿台に当接させながら読取ることを特徴とする原稿読取装置の原稿読取方法であって、前記原稿読取装置は、さらに前記台部または前記蓋部に前記原稿の位置を検出する原稿位置検出センサと記憶手段とシェーディング補正手段とを有し、前記原稿台に前記白基準板とは異なる別の白基準板を載置した状態で前記別の白基準板を第１の白基準値として読取り、前記別の白基準板が無い状態で前記白基準板を第２の白基準値として読取り、前記第１の白基準値と前記第２の白基準値の差を演算し前記記憶手段に記憶する工程と、前記原稿位置検出センサの出力に基づいて前記原稿台上に前記原稿の有無を検出する工程と、前記原稿台に前記原稿が無い場合に前記白基準板を第３の白基準値として読取り、前記第３の白基準値に前記差を加えた値を白基準値としてシェーディング補正する工程と、を有することを特徴とする。
【発明の効果】
【００１６】
本願発明によれば、白基準板は汚れず、原稿の読取位置において原稿の浮き上がりを防止できる。また、白基準板を読取るときに、読取センサと白基準板の距離が一定にできる。これにより、読取センサのシェーディング補正の精度が向上し、原稿読取精度を向上させることができる。
【図面の簡単な説明】
【００１７】
【図１】図１は、本発明の白基準板ユニットの白基準板方向からの斜視図である。
【図２】図２は、本発明の白基準板ユニットの側面図である。
【図３】図３は、本発明の画像読取装置の全体の概略図である。
【図４】図４は、本発明の画像読取ユニットの概略図である。
【図５】図５は、本発明の画像読取ユニットの蓋部分の断面である。
【図６】図６は、本発明の画像読取装置のブロック図である。
【図７】図７は、本発明のシェーディング補正手順の例を示すフローチャートである。
【発明を実施するための形態】
【００１８】
図面を用いて、本発明の実施形態を説明する。
図１は、本発明の白基準板ユニットの白基準板方向からの斜視図である。白基準板ユニット１は、白基準板２、押えローラ支持部３、遮光部５、押えローラ４を有する。
【００１９】
白基準板ユニット１は、金属製の板の両端を曲げローラ支持部３を構成している。また、この金属製の板の平坦部に白基準板２を構成している。ローラ支持部３は白基準板２の両側に複数の押えローラ４が回動可能に取り付けられた押えローラ軸６が通されている。押えローラ４の間から漏れる光を遮る為に、金属製の板の平坦部を曲げ、さらに先端に押えローラ４の間に入るように複数の凸状の遮光部５が構成されている。また遮光部５は、搬送される原稿の端部がかからない効果も有する。
【００２０】
白基準板２の部分は、シェーディング補正の白基準となる。白基準板２は表面が白色であり、塗料を塗って構成しても、白基準のシートを貼り付けてもよい。
【００２１】
押えローラ４は、押えローラ軸４に軸方向に移動可能に多少の押えローラ４同士の間に隙間を設けても良い。また、押えローラ４は夫々独立に回動するのが好ましいが、一つのローラで構成するかあるは一つのローラであるかのように連動して回転させてもよい。
【００２２】
図２は、本発明の白基準板ユニットの側面図である。ローラ支持部３には第１軸孔８と第２軸孔９が形成されている。この第１軸孔８と第２軸孔９に押えローラ軸６を通し、系止部材７によって押えローラ軸６を止めている。第１軸孔８は円形の貫通孔である。第２軸孔は略四角形状の貫通孔である。四角形の角の部分を弧状に形成している。第１軸孔８に通されているローラ軸６の移動方向と第２軸孔に通されているローラ軸６の移動方向が異なるようにしてる。これは、製造上のばらつきによって両方が全く同じ形状に形成できなくても、決められた位置に形成できなくとも、第１軸孔８と第２軸孔９を異形にすることで、孔の形成による問題が発生しても相互に自由度を向上させることができるので、白基準板を正確に上下動させることができる。
【００２３】
図３は、本発明の画像読取装置の全体の概略図である。画像読取装置は、基台１７に画像読取ユニット１０を備えたものである。画像読取ユニット１０は、台部１６と蓋部１３に分かれ、台部１６に開平可能に蓋部１３が支持されている。台部１６には、原稿１８を搬送する搬送ローラ１２が支持され、原稿１８を挿入する付近と、排出する付近に配置さされている。搬送ローラ１２に対になってピンチローラ１１が蓋部１３に支持されている。搬送ローラ１２は回転駆動し、ピンチローラ１１は搬送ローラ１２に回動可能に付勢されている。そのため、搬送ローラ１２が回動すると、ピンチローラ１１はそれに合わせて連れ回る。原稿１８は搬送ローラ１２とピンチローラ１１に挟まれて搬送される。
【００２４】
台部１６には、原稿１８を支持する原稿台１５が備わっている。原稿台１５の原稿１８の搬送面は搬送ローラ１２の外周の頂点と、同じ高さに配置されている。原稿台１５の原稿１８の搬送面でない面に接するようにラインセンサ１４が、原稿１８の搬送方向に平行に配置されている。ラインセンサ１４は原稿の挿入方向に２本、排出方向に３本、千鳥状に配置されている。夫々のラインセンサ１４は原稿１８を読込取る際に読取部分の一部が重複するように、配置されている。蓋部１３には白基準板ユニット１が配置されている。白基準板ユニット１は夫々のラインセンサ１４毎に設けられている。
【００２５】
図４は、本発明の画像読取ユニットの概略図である。台部１６にはモータ１９が設けられ、プーリ２０に掛け回されているベルト２１を回転させる。プーリ２０の中心には軸があり、その軸に搬送ローラ１２が取り付けられ、プーリ２０が回転すると軸が回転し、さらに搬送ローラ１２が回転する。原稿台１５の原稿１８の搬送方向の前後に平行して複数の搬送ローラ１２が備わっている。これらの搬送ローラ１２は連動して回転し、蓋部１３に備わっているピンチローラ１１と共に、原稿１８を挟んで搬送する。搬送ローラ１２は原稿台１５の長手方向に沿って平行に複数配置され、様々幅の原稿を搬送できるようにしている。
【００２６】
台部１３には、第１原稿位置検出センサ２２が原稿台１５の長手方向に沿って複数配置され、第２原稿位置検出センサ２３が原稿台１５を挟むように複数配置されている。これは、搬送された原稿１８が原稿台１５の手前まで到達しているか否か、および原稿台１５の下流まで到達しているか否かを検出するものである。複数の第１原稿位置検出センサ２２によって、原稿の幅が検出される。第２原稿位置検出センサ２３を原稿の挿入側と排出側に配置することで、原稿台１５に対する原稿の位置を検出する。様々の幅の原稿に対応できるようにしている。
【００２７】
搬送ローラ１２の周囲は原稿台１５より低くし、搬送ローラ１２の外周の頂点を露出させている。これは搬送ローラ１２が原稿１８を十分に保持できるようにするためである。
【００２８】
ラインセンサ１４は原稿台１５部分に千鳥状に配置されている。白基準板ユニット１はラインセンサ１４毎に夫々のラインセンサ１４に夫々の白基準板２が対向するように位置させ、台部１６と蓋部１３に配置される。ラインセンサ１４が複数列、ここでは２列に配置されるので、搬送ローラ１２の間が長くなる。原稿１８が原稿台１５から浮かずに搬送するために、特にラインセンサ１４上で原稿１８が浮かずに搬送するために、ラインセンサ１４の搬送方向前後を押えローラ４によって押さえることになる。押えローラ４は、ここでは白基準板２等の自重で押えているが、バネなどで付勢しても良い。また、好ましくはラインセンサ１４の長手方向の全長に沿って押えローラ４を配置する。そうすることで、原稿１８のよりいっそうの浮き防止になる。
【００２９】
図５は、本発明の画像読取ユニットの蓋部分の断面である。蓋部１３は、内部にフレーム２５を有し、そのフレーム２５に第１腕部２６を接続し、その先端に原稿排出側のピンチローラ１１を支持している。フレーム２５に第２腕部２７を接続し、その先端に原稿挿入側のピンチローラ１１を支持している。フレーム２５に白基準板ユニット支持部２８が接続され、白基準板ユニット１１の押えローラ軸６を支持している。第１軸孔８と第２軸孔９に押えローラ軸６が通されているので、白基準板２、遮光部５および押えローラ支持部３が第１軸孔８と第２軸孔９の孔の範囲で移動可能に担持されている。蓋部１３の底部には原稿押え板２４が配置されている。原稿押さえ板２４にはピンチローラ１１及び白基準板ユニット１を露出させる為の貫通孔が設けられている。ピンチローラ１１と搬送ローラ１２を対向させている。白基準板ユニット１の押えローラ４と白基準板２を原稿台１５に対向させている。原稿押え板２４には、白基準板ユニット１の遮光部５に対になって遮光片２９が設けられている。遮光片２９も遮光部５と同様に押えローラ４の間に配置されている。遮光片２９も遮光部５と同様に、曲げることで搬送されてくる原稿１８がかからないようにしている。
【００３０】
押えローラ４の外周が原稿台１５に当接しても、白基準板２が原稿台１５に当接しないように、第１軸孔８及び第２軸孔９の開口部のサイズと位置およびローラ４のサイズがあらかじめ決められている。
【００３１】
図６は本発明の画像読取装置のブロック図である。ＲＯＭ３０には、画像読取装置全体の動作を制御するプログラムや初期設定値などのデータが記憶されている。制御回路３３はＲＯＭ３０に記憶されているプログラムに従って、比較、演算、制御等の処理をする制御回路であり、例えばＣＰＵを含んでいる。ＲＡＭ３１は各種データの一時記憶や制御回路３３の演算等で使用されるワークエリアである。搬送手段３２は、モータ１９、ベルト２１、プーリ２０、搬送ローラ１２、ピンチローラ１１を有し、原稿１８を搬送する手段である。搬送手段３２は制御回路３３の制御によって動作する。ラインセンサ１４は制御回路３３の制御によって原稿１８を読取るセンサである。第１原稿位置検出センサ２２は制御回路３３によって制御され、原稿の幅を検出するセンサである。第２原稿位置検出センサ２３は制御回路３３によって制御され、原稿台１５に原稿が有る無いかを検出するセンサである。
【００３２】
次に本発明のシェーディング補正の動作について説明す。図７は、本発明のシェーディング補正手順の例を示すフローチャートである。
【００３３】
この処理に先立って、原稿台１５に白基準板２と同様の白基準板を載置させ、第１の白基準値として読取り、その値をＲＯＭ３０に記憶させておく。さらに、白基準板２を読取り第２の白基準値としてＲＯＭ３０に記憶させておく。このましくは、第１の白基準値とと第２の白基準値との差を演算し、その値をあらかじめＲＯＭ３０に記憶させておく。
【００３４】
先ず処理が開始される（ステップＳ１）。蓋部１３が台部１６に対して開いているか閉じているかを不図示の開平センサの出力によって判断する。蓋部１３があいている場合は処理がされない。蓋部１３が閉じているとステップＳ３に進む（ステップＳ２）。
【００３５】
次に、原稿１８が原稿台１５上に有るか無いかを判断する。第１原稿位置検出センサ２２の出力によって、センサの位置に原稿が有るか無いかを判断することで、原稿の幅を演算する。原稿台１５の両側にある第２原稿位置検出センサ２３が共に原稿１８を検出している出力があれば、原稿台１５上に原稿１８があると判断する。どちらか一方でも出力がないと原稿１８が原稿台１５上に無いと判断する。原稿１８が原稿台１５に無ければステップＳ４に進む。あればステップＳ９に進む（ステップＳ３）。
【００３６】
ステップＳ９では、搬送ローラ１２を駆動して原稿１８を排出する。
【００３７】
ステップＳ４では、白基準板１２を読取り、第３の白基準値としてメモリ、例えばＲＡＭ３１に記憶する。
【００３８】
次に黒基準値を読取りＲＡＭ３１に記憶する（ステップＳ５）。
【００３９】
次に第１補正処理として、第３の白基準値に、第１の白基準値と第２の白基準値の差を加えた第４の白基準値を演算する。このとき、第１の白基準値と第２の白基準値あるいは差はＲＯＭ３０に予め記憶されているものを使う（ステップＳ６）。
【００４０】
次に第４の白基準値を使用してラインセンサ１４のシェーディング補正処理をする（ステップＳ７）。
【００４１】
第４の白基準値を使用してシェーディング補正処理が終了したら処理は終了である（ステップＳ８）。シェーディング補正をした後、原稿１８の読取をする。
【００４２】
このようにシェーディング補正の処理が進み、シェーディング補正がされる。
【産業上の利用可能性】
【００４３】
本発明は、原稿を搬送させ、その原稿を読取る読取装置に適用できる。
【符号の説明】
【００４４】
１  白基準板ユニット
２  白基準板
３  押えローラ支持部
４  押えローラ
５  遮光部
６  押えローラ軸
７  系止部材
８  第１軸孔
９  第２軸孔
１０  画像読取ユニット
１１  ピンチローラ
１２  搬送ローラ
１３  蓋部
１４  ラインセンサ
１５  原稿台
１６  台部
１７  基台
１８  原稿
１９  モータ
２０  プーリー
２１  ベルト
２２  第１原稿位置検出センサ
２３  第２原稿位置検出センサ
２４  原稿押え板
２５  フレーム
２６  第１腕部
２７  第２腕部
２８  白基準板ユニット支持部
２９  遮光片
３０  ＲＯＭ
３１  ＲＡＭ
３２  搬送手段
３３  制御回路
【図１】
0005511359.tif 000002
【図２】
0005511359.tif 000003
【図３】
0005511359.tif 000004
【図４】
0005511359.tif 000005
【図５】
0005511359.tif 000006
【図６】
0005511359.tif 000007
【図７】
0005511359.tif 000008